【事件の表示】
　平成８年特許願第３１７１９０号「インク容器のためのキーシステム」拒絶査定不服審判事件〔平成９年７月８日出願公開、特開平９−１７４８７９〕について、次のとおり審決する。
【結　論】
　本件審判の請求は、成り立たない。
【理　由】
１．手続きの経緯・本願発明
 　本願は、平成８年１１月１３日（パリ条約による優先権主張１９９５年１２月４日、米国）の出願であって、その請求項１ないし５に係る発明は、平成１２年７月１３日受付け、平成１０年１１月２０日受付け、平成１３年８月１日受付け及び平成１５年８月２５日受付け手続き補正により補正された明細書及び図面からみて、その特許請求の範囲の請求項１ないし５に記載されたとおりの以下のものと認められる。
【特許請求の範囲】
　【請求項１】特定の色と色以外の特定の物理的あるいは化学的性質を有するインクを収容するとともに、前記特定の色及び前記特定の物理的あるいは化学的性質を識別する形状を有するインク容器において、
　外殻と、
　前記外殻に取り付けられ、その一端に前記特定の物理的あるいは化学的性質を示す第１の構造を有し、他端に前記容器に前記特定の色を示す第２の構造を有するキャップ
を設け、
　前記外殻の両側面にそれぞれ、前記特定の物理的あるいは化学的性質によらずに一定の形状を有する第１及び第２のリブを設け、
　前記キャップに設けられた前記第１及び第２の構造は、夫々前記第１及び第２のリブに整列するように前記キャップの側端に配置される
ことを特徴とするインク容器。
　【請求項２】前記第１の構造は対応する前記物理的あるいは化学的性質に割り当てられた形状のキー係合要素を有し、前記第２の構造は対応する前記色に割り当てられた形状のキー係合要素を有することを特徴とする請求項１記載のインク容器。
　【請求項３】インクジェットプリンタ内にインク容器を位置決めするシステムにおいて、
　夫々、外殻と、前記外殻に取り付けられその一端に収容されているインクの特定の物理的あるいは化学的性質を示す第１の構造を有するとともに他端に前記容器に前記特定の色を示す第２の構造を有するキャップとを設けた複数のインク容器と、
　前記インクジェットプリンタに接続され、複数のベイを画成する壁部材を有するドッキングステーションであって、それぞれのベイは前記ベイに挿入されるとともに特定の色及び色以外の特定の物理的あるいは化学的性質が対応づけられ、前記対応づけられた特定の色及び特定の物理的あるいは化学的性質を有するインクを収容した前記インク容器の前記キャップの前記第１及び第２の構造の形状と係合するように構成されているドッキングステーション
を設け、
　前記外殻の両側面にそれぞれ、前記特定の物理的あるいは化学的性質によらずに一定の形状を有する第１及び第２のリブを設け、
　前記キャップに設けられた前記第１及び第２の構造は、夫々前記第１及び第２のリブに整列するように前記キャップの側端に配置され
　前記ベイは前記インク容器の前記第１及び第２のリブ並びに前記第１及び第２の構造に係合するキー係合要素を備えることによって、前記特定の色及び前記特定の物理的あるいは化学的性質を有するインクを収容した前記インク容器のみが対応する前記ドッキングステーションに係合するようにした
ことを特徴とするシステム。
　【請求項４】請求項３に記載のシステムにおいて、
　前記容器は戻り止め部材を有し、
　前記ベイは突起部材を有し、
前記突起部材が前記戻り止め部材に係合して前記ベイからの前記容器が外れようとすることに抵抗する
ことを特徴とするシステム。
　【請求項５】請求項４に記載のシステムにおいて、
　それぞれの容器の前記戻り止め部材とそれぞれのベイの前記突起部材の位置と構成は、前記キャップ上の前記第１及び第１の構造及び前記ベイの前記キー係合要素の位置及び構成にかかわりなく各容器と前記ベイの間でほぼ同じである
ことを特徴とするシステム。」
　　なお、本願請求項５に係る「前記第１及び第１の構造」なる記載では、２つの「第１」が記載されているが、他の請求項記載を参照するに、本願請求項３における「前記外殻に取り付けられその一端に収容されているインクの特定の物理的あるいは化学的性質を示す第１の構造」及び「他端に前記容器に前記特定の色を示す第２の構造」の両者を受けたものであると解するのが妥当である。
　　よって、当該「前記第１及び第１の構造」なる記載は、「前記第１及び第２の構造」の誤記と解する。
（以下、請求項順に、「本願発明１」ないし「本願発明５」という。）
　
２．引用刊行物
 　これに対して、当審における、平成１５年９月１６日付けで通知した拒絶の理由に引用した本願の優先権主張の日前に頒布された各刊行物には、以下の記載事項が認められる。
　
２−１　刊行物Ｂ：特開昭６３−４９５３号公報
［記載事項ア］
「インク供給部に装着可能なインクヘッドのインク供給装置において、
　前記インクヘッドの装着面側に設けた突起部または凹部と嵌合する凹部または突起部を前記インク供給部の装着面側にも設け、前記突起部および前記凹部の数または位置または形状を使用インクの種類に応じて異ならしめたことを特徴とするインク供給装置。」
（特許請求の範囲）
　
［記載事項イ］
「［問題点を解決するための手段］
　かかる目的を達成するため、本発明は、インク供給部に装着可能なインクヘッドのインク供給装置において、インクヘッドの装着面側に設けた突起部または凹部と嵌合する凹部または突起部をインク供給部の装着面側にも設け、突起部および凹部の数または位置または形状を使用インクの種類に応じて異ならしめたことを特徴とする。
［作用］
　本発明によれば、異なる色等、異なるインクの種類同志のインクヘッド部とインクカートリッジ部との連結が防止され、インクヘッド部に異なるインクが混入されて使用不能となる事故の発生が阻止される。」
（２頁右上欄１４行〜左下欄７行）
　
［記載事項ウ］
「［実施例］
　以下、本発明の実施例を詳細に説明する。
　第１図乃至第３図は本発明の一実施例の構成を示す。第１図において、１はインクジェット記録装置のインク吐出部の一部を構成する着脱自在のインクカートリッジ部であり、筒状のバックケース２，バックケース２に収納された弾性袋体のインクタンク３，インクタンク３の口部側を覆い、バックケース２に固定された平板状のカバー４、カバー４と一体に成形され、インクタンク３の口部と連通する筒状の受容部（インク供給管受容部）５，および把手６等を有する。7A〜7D（総括符号を７とする）はカバー４の外周の所定位置に１個以上形成したピン受け溝である。・・：中略・・・。
　また、17A〜17D（総括符号を17とする）はフロントケース12の裏面の所定位置に突出して設けた１個以上のピンであり、上述のカバー４のピン受け溝7A〜7Dに対向する位置に圧入などにより取付けられる。インクカートリッジ部１のインクタンク３に収納されたインクの色等種類に応じて、ピン17A〜17Dおよびピン受け溝7A〜7 の数およびその配置位置の少なくともいずれか一方が異なるようにあらかじめ設定されている。」
（２頁左下欄８行〜３頁左上欄１０行）
　
［記載事項エ］
「上述した本実施例ではインクの種類や色を表わす結合ピン７やピン受け溝17の数や位置を変えた例を示したが、本発明はこれに限定されず、ピンやピン受け溝の太さや形状等をインクの色や種類に応じて変えるようにしてもよいことは勿論である。また、ピンとピン受け溝は鍵と鍵穴の関係にあればよいのであるから、カバー４側にピン17を設けフロントのケース12側にピン受け溝７をもうけてもよい。さらに、ピンは球状等の突起でもよく、ピン受け溝はその突起と嵌合する凹部や段部でもよい。さらに、ピンやピン受け溝の周囲に使用インクの色と同じ色のカラー表示をしてもよい。」
（３頁右下欄１８行〜４頁左上欄１０行）
　
 　記載事項ア、イによれば、当該刊行物Ｂには、インクヘッドの装着面側とインク供給部の両者に、嵌合し合う突起部と凹部の組み合わせ構成を設け、これら突起部及び凹部の数または位置または形状を使用インクの種類に応じて異ならしめることにより、異なる色等、異なるインクの種類同士のインクヘッド部との連結が防止され、インクヘッド部に異なるインクが混入されて使用不能となる事故の発生を阻止することが記載されている。
 　そして、記載事項ウ、エを参照するに、具体的なインクカートリッジ構成として、弾性袋体のインクタンク３をバックケース２に収納し、当該インクタンクの口部側を覆い、バックケース２に固定された平板状のカバー４を有し、当該カバー４の外周の所定位置に、インクタンク３に収納されたインクの色等の種類に応じたピン受け溝が形成されていることが記載されている。
 　してみれば、前記カバー４は、インクカートリッジ部の外殻をなすバックケースに取り付けられており、これの端部に設けられたピン受け溝7A〜7Dは、インクの色等種類に応じて形成されており、同じくインクの色等種類に応じて形成された、インクジェット記録装置のインクヘッド側のフロントケース12に設けられたピン17A〜17Dピンと嵌合するように構成されている。
　　また、刊行物Ｂにおけるインクカートリッジは、装着された際に、インクジェット記録装置のインクヘッドに継続的にインクを供給する位置に維持されているのであることから、位置決めされていると解釈できる。
　
 　上記検討によれば、刊行物Ｂには、以下の発明が記載されているといえる。
「インクを収容するとともに、前記インクの特定の色等、インクの種類を識別する構造を有するインクカートリッジにおいて、
　バックケースと、
　前記バックケースに取り付けられ、インクヘッド部への装着面に、前記インクの種類を示す突起部又は凹部を有するカバーを設け、
　これら突起部及び凹部の数または位置または形状を使用インクの種類に応じて異ならしめることにより、異なる色等、異なるインクの種類同士のインクヘッド部との連結が防止され、インクヘッド部に異なるインクが混入されて使用不能となる事故の発生を阻止するインクカートリッジ。」
（以下、「刊行物Ｂ記載の発明１」という。）
　
「インクジェットプリンタ内にインクカートリッジを位置決めするシステムにおいて、
　夫々、バックケースと、収容されるインクの特定の色等、インクの種類を識別する形状を有するカバーを設けたインクカートリッジと、
　前記インクジェットプリンタに接続され、インクカートリッジを装着可能な装着部を有するインクジェット記録装置のインクヘッド側のフロントケースであって、その装着部は前記装着部にインクカートリッジが挿入装着されるとともにインクの特定の色等、インクの種類が対応づけられ、前記対応づけられたインクを収容した前記インクカートリッジの前記カバーの前記特定の色等、インクの種類を識別する形状と係合するように構成されているインクジェット記録装置のインクヘッド側のフロントケースを設け、
　　前記装着部は前記インクカートリッジの識別形状に係合する突起部または凹部からなる係合要素を備えることによって、異なる色等、異なるインクの種類同士のインクヘッド部との連結が防止され、インクヘッド部に異なるインクが混入されて使用不能となる事故の発生を阻止するシステム。」
（以下、「刊行物Ｂ記載の発明２」という。）
　
２−２　刊行物Ｃ：特開平４−１８５３５５号公報
［記載事項オ］
「
目　的
　本発明は、・・・、特に、インクタンクカートリッジの装着部を、複数種のインクを保持するインクタンクと、単一種類のインクのみを保持するインクタンクカートリッジとを併用して使用可能とし、もって、使用者のニーズに合せて所望のインクタンクカートリッジを選択して使用可能とするとともに、インクタンクカートリッジ装着部を複数種のインクタンクカートリッジに対して兼用させることにより、記録装置側でのインク供給経路を単純化することを目的としてなされたものである。
構　成
　本発明は、上記目的を達成するために、複数種類のインクを用いて記録を行うインク記録装置において、該インク記録装置はインクタンクカートリッジを装着するインクタンクカートリッジ装着部を有し、該インクタンクカートリッジ装着部が、（イ）複数種類のインクを各々独立して保持する複数のインク保持部を有する単一のインクタンクカートリッジと、（ロ）複数種類のインクを独立して保持する複数のインク保持部を有するインクタンクカートリッジと、単一の種類のインクを保持するインクタンクカートリッジとの複数のインクタンクカートリッジと、（ハ）各々が単一の種類のインクのみを保持する複数のインクタンクカートリッジとを、選択的に共通保持し得る構成となっていることを特徴としたものである。」
（２頁左上欄１０行〜右上欄１７行）
　
［記載事項カ］
「第１図（ａ）、（ｂ）は、それぞれ本発明の実施例を説明するための構成図で、両図とも、インクタンクカートリッジを記録装置のインクタンクカートリッジ挿入口（装着部）に装着した時の状態を示す図で、（ａ）図は、イエロー（Ｙ）、マゼンダ（Ｍ）、シアン（Ｃ）の３色のインクを各々独立してインク保持部に有する単一のインクタンクカートリッジ10を、インク記録装置のインクタンクカートリッジ装着部20に装着した時の状態を示す図、（ｂ）図は、各色ごとに独立したインクタンクカートリッジ11、12を設け、これらを各々独立して記録装置のインクタンクカートリッジ装着部20に装着した時の状態を示す図である（ただし、シアン（Ｃ）は未装着の状態を示す。）。・・・中略・・・。
　第２図は、第１図に示したインクタンクカートリッジの例を示す概要斜視図で、（ａ）図は、第１図（ａ）にしたインクタンクカートリッジ10を、（ｂ）図は、第１図（ｂ）にしたインクタンクカートリッジ11、12、13（ただし、シアン（Ｃ）に対するインクタンクカートリッジ13は第１図（ｂ）においては省略されている）を示す。
　第３図は、第２図（ａ）、（ｂ）に示したインクタンクカートリッジ10、11、12、13に共通使用可能な記録装置側のインクタンクカートリッジ挿入口20の概要を示す図で、該インクタンクカートリッジ挿入口20は、第２図（ａ）に示した複数種類のインクを各々独立して保持する単一のインクタンクカートリッジ10と、第２図（ｂ）に示したそれぞれの種類のインクがそれぞれ独立して保持されている複数のインクタンクカートリッジ11、12、13とが共に選択的に装着できるようになっている。
　すなわち、第２図（ａ）に示したインクタンクカートリッジ10の両側部には挿入方向に沿った方向にスライド部101が形成されており、このスライド部101の凹凸102、103のパターンと、記録装置のインクタンクカートリッジ挿入口20の側部に設けられたスライド部201の凹凸202、203のパターンが係合するようになっている。つまり、インクタンクカートリッジ10の凹部102はインクタンクカートリッジ20の凸部202と係合し、同様に、インクタンクカートリッジ10の凸部103はインクタンクカートリッジ挿入口20の凹部203と係合するようになっており、これにより、インクタンクカートリッジ10を記録装置のインクタンクカートリッジ挿入口20に着脱自在に挿入できるようになっている。同様に、第２図（ｂ）に示したインクタンクカートリッジ11、12、13も、それぞれの面側部にスライド部111、121、131を有し、これら各側面部に、凹凸112、113；122、123；132、133を有し、これらが記録装置のインクタンクカートリッジ挿入口20の両側部に設けられた凹凸と係合して、これら各インクタンクカートリッジ11、12、13がそれぞれインクタンクカートリッジ挿入口20に着脱自在に挿入可能となっている。なお、インクタンクカートリッジ11、12、13は、それぞれ別の挿入位置への誤装着を防止することを目的として、凹凸のパターンを異ならしめておくと、他の挿入口、例えば、上下を入れ換えて挿入されるようなことはない。この場合、記録装置のインクタンクカートリッジ挿入口20の両側部に設けられたスライド部の凹凸パターンも、これら誤装着防止用の凹凸パターンと係合するように構成されており、第２図（ａ）の示した単一のインクタンクカートリッジ10のスライドも挿入口20対応したパターンとなっている。」
（２頁右下欄１７行〜３頁左下欄１行）
　
 　記載事項オによれば、当該刊行物Ｃ記載の発明は、複数種類のインクを用いて記録を行うインク記録装置において、所望のインクタンクカートリッジを選択して使用可能とするとともに、インクタンクカートリッジ装着部を複数種のインクタンクカートリッジに対して兼用させるインクタンクカートリッジの装着構成に係るものである。
　
 　記載事項カを参酌するに、第３図におけるインクタンクカートリッジ挿入口20両側には３組のスライド部201が設けられ、第２図（ａ）のＹＭＣ一体型のインクタンクカートリッジ10に設けられたスライド部101或いはＹＭＣ独立したインクタンクカ−トリッジ11、12、13側に各々設けられたスライド部111、121及び131が係合することで、これらのインクタンクカートリッジが、インクタンクカートリッジ挿入口20に着脱自在に挿入できるように構成されている。
　そして、インクタンクカートリッジ挿入口20側のスライド部201には凹凸部202、203が設けられており、インクタンクカートリッジ10のスライド部101に設けられた凹凸部102、103或いはインクタンクカートリッジ11、12及び13のスライド部111、121及び131に設けられた凹凸部112、113、122、123、132及び133が係合することで、インクタンクカートリッジ10或いは11、12、13が、別の挿入位置へ誤装着されることを防止するように構成されている。
 　してみるに、インクタンクカートリッジがインクタンクカートリッジ挿入口に着脱自在に挿入されることからして、前記スライド部及びこれに設けられた凹凸部は挿入方向に整列された形態をなしていることが把握できる。
　
２−３　刊行物Ｄ：特開平３−１８４８７３号公報
［記載事項キ］
「［産業上の利用分野］
　本発明は、プリンタ、印刷機、または複写機等の記録装置において、インク等を収納したカートリッジを用いて記録を行う型式のものに係わり、詳しくは、このような記録装置における着脱式の複数個のカートリッジを装着する時の抜け防止手段、並びにインクジェット記録装置における着脱可能なインクカートリッジと本体との連結部に当たる中空針の危険防止構造に関する。」
（１頁左欄２０行〜右欄８行）
　
［記載事項ク］
「第２図は、前記キャリッジ10に搭載する複数個のカートリッジ（インクカートリッジ等）21の一部破断斜視図である。
　各インクカートリッジ（カートリッジ）21は、プラスチックシートなどの可撓性材料から成るインク袋11を、該インク袋11の外形に沿った状態で被覆する硬質プラスチック等のケースの中に収納した構造を有する。
　インク袋11は可撓性シートの四方を密封して袋状に形成され、立てた状態でケース内に保持されており、一端の最下部にインク出口となるゴム栓12が密封状態ではめこまれている。
　インク袋11の上部11Aはインク収容能力を増すためガゼット状になっており、インク袋11の下部は、充分にインクを出し切るように、袋を潰れ易くするため、断面Ｖ字状の形状でシールされている。
　インク袋11の底面には、Ｖ字形状の両側の余剰空間を利用して、カートリッジ全体の巾より狭い範囲でレール23が形成されている。
　該レール23の終端部には、インクカートリッジ挿入方向に直角に、ストッパ部24が形成されている。」
（４頁左上８行〜右上欄１０行）
　
［記載事項ケ］
「第３図は、キャリッジ10側のカートリッジ21装着部であって、カートリッジ21の挿入途中の状態を示す分解斜視図である。
　第３図において、各カートリッジ21の底面のレール23に嵌合するキャリッジ10側のレール部33は、複数個（図示の場合４個）のカートリッジ21を収納すべく、所定のピッチで配設されている。
　各レール部33では、カートリッジ21挿入時のガタを取り除くための片押しバネ34が、ストッパ31の方向に力が作用するように形成されている。
　前記ストッパ31は、上下方向のバネ力を発生し得る板バネ32と一体となって、キャリッジ10上のレール部内に埋設されている。
　インクカートリッジ21を装着する際は、まず、キャリッジ10の床面36に置かれたインクカートリッジ21が、案内Ｒ部35に沿って、前記レール部33に導かれる。
　前記ストッパ31の手前側は、徐々に高くなる勾配形状になっているので、インクカートリッジ21のレール23の前面部に当たることはない。
　すなわち、ストッパ部31が下げられた状態でインクカートリッジ21が挿入される。
　インクカートリッジ21が十分に挿入され、キャリッジ10側のインク供給用の針14がカートリッジ21のゴム栓12に突き刺さり、キャリッジ10との連結が完了した状態にて、前記ストッパ31は、板バネ32の反力により、その後端が跳ね上がり、カートリッジ21のストッパ部24に係合する。」
（４頁左下欄７行〜右下欄１７行）
　
［記載事項コ］
「第４図は本発明の他の実施例により記録装置の横置き型のインクカートリッジ21を示す分解斜視図である。
　第４図において、各インクカートリッジ21の両側には、インク袋（不図示）の溶着形状に合わせてレール23が設けられている。・・・中略・・・。ストッパ31は板バネ32のバネ力によりカートリッジ21のストッパ部24に係合することになる。」
（５頁左上欄３〜１４行）
　
［記載事項サ］
「第５図は請求項２の発明の第１実施例に係わるインクカートリッジの装着部の構造を示す斜視図である。
　第５図において、21はインクカートリッジ、11はインクカートリッジ21内に装着された可撓性材質のインク袋、12はカートリッジ21のインク流出口となるゴム栓、14は本体側のインク受け入れ口となるインク供給用の中空針、51は記録ヘッド114へインクを導くインク供給管、52は針14の先端を保護するとともに使用者の危険を防止するための防護壁を形成する回動自在な針保護部材（針覆い板）、53は針覆い板（針保護部材）52が針先端位置を維持するためのラッチ部材を構成する板ばね状の掛け金具（爪部材）、54は針覆い板52を針先端まで押し出すための補強ばね、55は前記中空針14を設置する針受け台、33はインクカートリッジ21の通路になる本体レール、34は前記通路33のガタ取りのための片寄せばね、31はインクカートリッジ21脱落防止のためのストッパ、56はインクカートリッジ21上側の通路になる天レール、57はインクカートリッジ21を本体レール33面に沿わせるための押しばね、をそれぞれ示す。・・・中略・・・。
　インクカートリッジ21の凹部21Aは、インクカートリッジ21を挿入する際、本体レール33の内側を滑る。
　掛け金具53の反力よりも強い力でインクカートリッジ21を下方へ押すことにより、インクカートリッジ21はレール部33の表面を滑るように挿入される。
　その際、掛け金具53は、インクカートリッジ21下面により押し下げられ、爪部53Aは針覆い板52を押しながら進み、露出した針14の先端はゴム栓12に刺さり、インクカートリッジ21はその最前部が針受け板55と衝当して止まる。
　その時、ストッパ31は、ばね力で跳ね上がり、ロック状態になる。」
（５頁右上欄２０行〜６頁左上欄６行）
　
　　記載事項キ〜サを参照するに、当該刊行物Dには、プリンタ、印刷機、または複写機等の記録装置において、インクカートリッジ装着部に突起部材（ストッパ31）が設けられており、インクカートリッジを装着した際にこれに設けられた戻り止め部材（ストッパ部24）に前記突起部材（ストッパ31）が係合して、インクカートリッジが外れることを防止する構成が記載されている。
　　そして、当該突起部材（ストッパ31）と戻り止め部材（ストッパ部24）からなる構成は、特定のカートリッジにのみ施されていると解すべき記載は認められないことから、複数のインクカートリッジの全てに対して設けられているものと解すべきといえる。
　
　　また、第５図に示される実施例においては、第３図の床面36と同じ部材に対して、天板に相当する部材が二点鎖線で示され、インクカートリッジ21を装着するに際し、その上下面を支持する壁部材が存在することが把握できる。
　　してみると、第５図に示される実施例においては、複数のインクカートリッジを装着するために複数の装着箇所を画成する壁部材を有する装着部とされていることが記載されている。
　
３．対比・判断
３−１　本願発明１について
３−１−１　対比
　　本願発明１においては、外殻のいずれの面側にキャップを有するかの特定はされていないものの、インクカートリッジが装着される面側に存在すると解することが技術常識に照らして妥当である。
 　そこで、本願発明１と刊行物Ｂ記載の発明１とを対比すると、刊行物Ｂ記載の発明１の「インクカートリッジ」及び「バックケース」は、本願発明１の「インク容器」及び「外殻」に相当することは明らかであるから、本願発明１と刊行物Ｂ記載の発明１の両者の一致点及び相違点は、次の通りである。
　
〈一致点〉
　　特定のインクを収容するとともに、前記インクの特定の色等、インクの種類を識別する構造を有するインク容器において、
　　前記外殻の装着面側に取り付けられた部材に、前記インクの特定の色等、インクの種類を示す構造を有しているインク容器。
　
〈相違点１〉
　　本願発明１においては、「前記外殻に取り付けられ、その一端に前記特定の物理的あるいは化学的性質を示す第１の構造を有し、他端に前記容器に前記特定の色を示す第２の構造を有するキャップ」を設けると特定されているのに対して、
　　刊行物Ｂ記載の発明１においては、収容されるインクの特定の色等、インクの種類を識別する構造が、特定の色を示すものと、それ以外を示すものとに分けられていないとともに、当該構造を有するのはカバーであって、前記特定を有するものとはいえない点。
　
〈相違点２〉
　　本願発明１においては、「前記外殻の両側面にそれぞれ、前記特定の物理的あるいは化学的性質によらずに一定の形状を有する第１及び第２のリブを設け、
　前記キャップに設けられた前記第１及び第２の構造は、夫々前記第１及び第２のリブに整列するように前記キャップの側端に配置される」と特定されているのに対して、
　　刊行物Ｂ記載の発明１においては、収容されるインクの特定の色等、インクの種類を識別する構造を有するものの、それ以外にリブを有するものではなく、前記特定を有するものとはいえない点。
　
３−１−２　相違点に係る判断
〈相違点１について〉
　　本願明細書の段落【０００６】〜【０００７】では、高い品質のプリント出力を得るように設計されたプリンタ用いられるインクと、より低コストなプリンタに用いられるインクとでは、化学的・物理的特性が異なるのものであることが説明され、同段落【００３３】では、本願発明で収容可能な多数の「異なる種類のインク」に関し、インクのタイプが種類と色の２つのサブカテゴリーに分けることができ、インクの種類とは粘性や水への溶解度といったインクの化学的・物理的特性を指すこと、ある特定の種類のインクを用いるように設計されたインクジェットペンおよびプリントヘッドは異なる種類のインクが用いられると誤動作を起こすこと、さらに、通常カラープリントではプリントヘッドにインクを供給するインク供給システムは１色のみを使用するように制限されており、他の色のインクで汚されてはならないこと等が説明されている。
　　他方、刊行物Ｂにおいても、前記２−１の記載事項イに、「本発明によれば、異なる色等、異なるインクの種類同志のインクヘッド部とインクカートリッジ部との連結が防止され、インクヘッド部に異なるインクが混入されて使用不能となる事故の発生が阻止される。」とあるように、使用するインクの色が種類の一つとして把握されており、インクヘッド部に異なるインクが混入してはならないとされる。
　　してみれば、いずれにおいても、色以外のインクの種類に関し、インクを構成する各種性質を識別すべきことが指摘されていることから、刊行物Ｂ記載の発明１における「インクの色を除くインクの種類」と、本願発明１の第１の構造により示される「インクカートリッジに収容されたインクの特定の物理的あるいは化学的性質」は格別相違するものとはいえない。
　　また、刊行物Ｂ記載の発明１の「カバー」は、インクを収容している「バックケース」の口部を覆う蓋として機能しており、他方、本願発明１の「キャップ」も「インク容器」の口部を覆う蓋として機能していることから、両者はひとまず相当するものといえる。
　
　　刊行物Ｂには、前記２−２に摘示したように、インク容器（インクカートリッジ部）の外殻をなすバックケース２に収納されたインクタンク３の口部側を覆う平板状のカバー４をバックケースに固定されたものが記載されており、当該カバー４の端部には、インクの色等種類に応じたピン受け溝7A〜7Dが形成され、これがインクジェット記録装置のインクヘッド側のフロントケース12に設けられたピン17A〜17Dピンと嵌合するように構成されていることが記載されている。
　　又、前記インクの色等種類に応じたピン受け溝7A〜7Dは、前記カバー４において、収容されたインクの物理的あるいは化学的性質を示すものと、同じくインクの特定の色を示すものとで端部を振り分けた構成とはされていないものの、両者を識別し得る構造をインク容器に持たせることで、間違ったインクの入っているインク容器を取り付けることができないものとなっていると共に、インク容器の外殻は収容するインクによらず同じ構造を持たせることが可能なものとなっている。
　　よって、刊行物Ｂ記載のものが備える前記収容されるインクの特定の色等、インクの種類を識別する構造は、本願発明１における第１の構造と第２の構造の両者を合わせ持つものであって、総体として奏する機能に明確な違いがあるものとはいえない。
　　また、本願発明１では、収容されたインクの色に係る第２の構造と、それ以外のインクの種類に係る第１の構造をキャップ端面に振り分けるとの特定がなされ、本願明細書には明記されていないものの、色識別と種類識別とを異なる端部に振り分けることで、それぞれを独立して扱い得る効果が期待できるとしても、この程度の効果は当業者であれば容易に想到可能なものであって、単に設計事項に属するものでしかない。
　
　　よって、前記相違点１は、当業者であれば、刊行物Ｂに記載された構成を採用するに際して、容易に改変可能なものであって、前記相違点１に係る本願発明１のようになしたことが格別なものとはいえない。
　　そして、そのようになしたことによる作用効果も当業者であれば容易に想到可能なものである。
　
　　請求人は、「御引例Ｂには、インクヘッド部（11）に取り外し可能に搭載することができるインクカートリッジ部（１）が開示されています。間違った色のカートリッジの搭載を防止するため、このカートリッジではカバー（４）に設けられたピン（17A〜17D）に係合するピン受け溝（7A〜7D）を設けています。しかしながら、御引例Ｂでも、御引例Ａと同様に、係合用の溝がカートリッジの先端部分に設置されているため、２−１で延べた（ａ）及び（ｂ）の欠点を有しています。」（平成１５年８月２５日付け意見書）と主張する。
    しかし、刊行物Ｂにおけるピン受け溝（7A〜7D）は、カバー（４）の端面に存在するものと容易に理解可能であり、この点において、相違点１として抽出した本願発明１の特定を備えているのであり、ことさらに「インクカートリッジの先端部分に設置されている」としてインクカートリッジ全体と対比して先端部分である故に相違するとの請求人主張は採用できない。
　
　　又、請求人は、「御引例Ｂで言うカバーとはインクタンク３の口を覆う平板です。実際に周辺にピン受け溝が形成された実施例におけるカバーを見ると、御引例の図１〜図３に示すように薄い板状に図示されており、単に薄い板を穴の上に載せるというものがカバーと呼ばれています。キャップとは単に載せるための平らな板ではなく穴の周りなどに被せたりする構造を持っているものです。御引例Ｂの図１〜図３のキャップがこのような単なる薄い板であることから、技術思想としては側面側の構造を全く想定しておらず、前方から接近するピンがカバーの後方へ貫通するという、カバー正面側からの観点しか持っておりません（カバーを比較的厚くした場合の実施例である図４〜図８ではピンを受けるための穴がカバーの周辺から内側に移されていることから考えても、ピンを受ける構造をカバーの側面に持つと言う思想は御引例Ｂでは全く想定・示唆されていないと言わざるを得ません）。このように、御引例Ｂの図１〜図３ではカバーの正面からの観点しか持っていないため、カバーはインクカートリッジ部の前端部分に刀の鍔のように広がっており、これよりすれば、御引例Ｂの教示している技術思想は、カートリッジ部を差込む軸の延長方向に延びたリブなどを側面側に設け、その延長上にカバー側端の構造を設けるという思想とは全く相容れないものであります。」（平成１６年３月２４日付け意見書）と主張する。
　　確かに、刊行物Ｂの図１〜図３と図４〜８における夫々のカバー４を比較すると、図１〜図３のカバー４が薄い板とも言い得ること、そして、キャップとは元来「帽子状」であることを指すことから、覆うべき相手方にかぶるような形態であることを想起させる用語であることは事実である。
　　しかし、同じ刊行物Ｂに示されている図１〜図３と、図４〜８とにおいて、同じカバー４と記載されている以上、それらとバックケースの係合状況は同様なものと解釈するのが自然であり、詳細な説明による記載の裏付けのない図面上から把握できるとした厚みの差をもって、カバー４とバックケースとが異なる係合状態であると断定することは妥当でなく、請求人のように、単に用語としての「カバー」を前提とした解釈を行うことは適切なものといえない。
　
　　他方、本願発明１において「第１及び第２の構造」は、「外殻に取り付けられたキャップ」の「一端」或いは「他端」に設けられていると、他方、「第１及び第２のリブ」は、「外殻の両側面」に設けられていると、夫々特定されてはいるものの、本願発明１の「第１及び第２の構造」がキャップの側面にのみ存在すると明確に特定されているわけではないことから、刊行物Ｂの第４図〜第８図においてピン受け溝（7A〜7D）がキャップ前面に位置すると解したとしても、例えば第４図においてカバー４の上方寄り端部と下方寄り端部に存在するとの解釈も妥当といえるのであって、この場合、刊行物Ｂの第４図〜第８図に示されるピン受け溝（7A〜7D）は、本願発明１でいう「第１及び第２の構造」を、「外殻に取り付けられたキャップ」の「一端」或いは「他端」に有するものと同等の構成であることとなる。
　
　　以上の検討を踏まえると、『刊行物Ｂに挟持される技術思想は、カートリッジ部を差込む軸の延長方向に延びたリブなどを側面側に設け、その延長上にカバー側端の構造を設けるという思想とは全く相容れない』とする請求人主張は妥当なものとはいえない。
　
〈相違点２について〉
　　本願発明１においては、インク容器の外殻に設けられる係合構造に関して、「前記特定の物理的あるいは化学的性質によらずに一定の形状を有する第１及び第２のリブ」と表現されているが、リブとは一般的に凸部構成を指す用語であり、前記刊行物Ｃにおける凹凸パターンのうち凸部をリブと解することができる。
　　しかしながら、これら凹凸の組み合わせを設けるに際して、インクタンクカートリッジ挿入口とインクタンクカートリッジのいずれの側に凹部あるいは凸部を設けるとしても、それによりもたらされる作用効果に差異があるものとはいえない。
　　ここで、刊行物Ｃには、前記２−３で検討したように、複数種類のインクを用いて記録を行うインク記録装置において、所望のインクタンクカートリッジを選択して使用可能とするに際して、各々のインクタンクカートリッジを識別し得る挿入方向に整列された凹凸パターンを、インクタンクカートリッジ挿入口と、インクカートリッジ端面とに設けることが記載されている。
　　他方、インクカートリッジを装着する際に、その着脱操作を容易とすべくインク容器の両側面に案内リブを設けること自体は、当審で既に通知した周知例１：特開平２−１０８５５０号公報、周知例２：特開平５−１６３７８号公報にみられるように周知慣用されていることである。
　　そして、このような着脱を容易とすべく設けられる案内リブが、挿入方向に整列されたものとされることも技術常識に属するものである。
　　してみれば、当該刊行物Ｃにおけるように、インクタンクカートリッジ11、12、13を別の挿入位置へ誤装着されることを防止するところの凹凸パターンの組み合わせを、刊行物Ｂ記載の発明１に適用するに際して、特定の物理的あるいは化学的に性質によらず一定の形状を有する案内リブをインク容器の両側面に施すことは、当業者にとって適宜採用し得た程度のことであり、相違点２に係る本願発明１の構成となすことは、当業者であれば容易に想到可能なことである。
　　そして、そのようになしたことによる作用効果も当業者であれば容易に想到可能なものでしかない。
　
　　請求人は「御引例Ｃには、各色のインクタンクカートリッジ（１１、１２、１３）をインクタンクカートリッジ装着部中の正しい位置に挿入するため、インクタンクカートリッジ及び装着部の側部にキー、キー溝として機能する凹凸部（１１２〜１３３、２０２、２０３）を設けた構造が開示されています。しかしながら、これらキー及びキー溝として機能する凹凸部は一体構造になっているインクタンクカートリッジの側面に設けられているのみであり、本発明のように、キャップの側端部にはインクの物理的／化学的性質を識別する形状の構造を設け、外殻部にはキャップのこのような構造と整列するインクの性質によらず一定の形状のリブを有するという構造にはなっておりません。従って、御引例Ｃに開示された構造は、全体が一体になっているのではなくキャップと外殻に分かれているインクカートリッジについての本発明のこのキャップ側端及び外殻の側面の構造まで示唆するものではありません。」（平成１５年８月２５日付け意見書）とも主張する。
　　しかしながら、本願発明１における「第１及び第２の構造」と「第１及び第２のリブ」との関係は、「前記キャップに設けられた前記第１及び第２の構造は、夫々前記第１及び第２のリブに整列するように前記キャップの側端に配置される」との特定がなされているだけであり、「第１及び第２の構造」が外殻の両側面全体にわたることを排除するところはない。
　　してみれば、本願発明１では、インク容器がキャップと外殻に分かれていることのみが特定されているのであるから、キャップ側端及び外殻の側面の構造が刊行物Ｃにおいて用いられているものから示唆されるものでない、とする請求人主張は、妥当なものとはいえない。
　　又、総じて請求人の主張は、当審拒絶理由通知で指摘したところの刊行物Ａ記載の発明１に対して刊行物Ｂ、Ｃに記載の事項を適用した際に得られる構成を検討するものでないとともに、単に、本願発明１を個別に刊行物Ａ〜Ｃと対比して、その差異を指摘しているに過ぎず、進歩性を担保する上で有効な主張であると解することはできない。
　
３−１−３　まとめ
　　以上のとおりであって、相違点１及び２は格別なものといえず、これらを組み合わせたとしても、相乗的な作用効果が期待し得るものともいえない。
　　したがって、本願発明１は、刊行物Ｂ記載の発明１及び刊行物Ｃに記載された事項に基づいて、当業者が容易に発明をすることができたものであるので、特許法第２９条第２項の規定により特許を受けることができないものである。
　
３−２　本願発明２について
３−２−１　対比
　　本願発明２は、本願発明１を引用するものであって、これに更に特定が加えられたものである。
　　そこで、本願発明２と刊行物Ｂ記載の発明１とを対比すると、本願発明１との対比と同様の前記一致点及び相違点１、２に加えて、以下の相違点を有する。
　
〈相違点３〉
　　本願発明２においては、「前記第１の構造は対応する前記物理的あるいは化学的性質に割り当てられた形状のキー係合要素を有し、前記第２の構造は対応する前記色に割り当てられた形状のキー係合要素を有する」と特定されているのに対して、
　　刊行物Ｂ記載の発明１においては、収容されるインクの特定の色等、インクの種類を識別する構造をインク容器に有するものの、前記特定を有するものとはいえない点。
　
３−２−２　相違点に係る判断
　　本願発明２には「キー係合要素」なる表現を用いられているが、当該表現は、「対応する前記物理的あるいは化学的性質に割り当てられた形状のキー係合要素」或いは「対応する前記色に割り当てられた形状のキー係合要素」と表現されているように、係合する要素同士が鍵と鍵穴の関係にある対応した形状を有していることを表しているものと解される。
　　ここで、前記刊行物Ｂでは、異なる色等、異なるインクの種類同士のインクヘッド部との連結を防止し、インクヘッド部に異なるインクが混入されて使用不能となる事故の発生を阻止する作用を期待して、インクヘッドの装着面側に設けた突起部または凹部と嵌合する凹部または突起部をインク供給部の装着面側にも設け、突起部および凹部の数または位置または形状を使用インクの種類に応じて異ならしめること（記載事項イ）が記載されており、この際に、これら突起部および凹部からなる構成は、鍵と鍵穴との関係を与えるものであればよい（記載事項エ）とされている。
　　してみれば、刊行物Ｂ記載の発明１における前記構造を、「対応する前記物理的あるいは化学的性質に割り当てられた形状のキー係合要素」及び「対応する前記色に割り当てられた形状のキー係合要素」とすることに格別困難性があるものとはいえない。
　
３−２−３　まとめ
　　本願発明２に係る相違点１，２については、前記「３−１　本願発明１について」で検討したように、当業者が容易に想到し得た程度のことである。
　　したがって、本願発明２は、本願発明１と同様に、刊行物Ａ記載の発明１及び刊行物Ｂ、Ｃに記載された事項に基づいて、当業者が容易に発明をすることができたものであるので、特許法第２９条第２項の規定により特許を受けることができないものである。
　
３−３　本願発明３について
３−３−１　対比
　　前記「３−１　本願発明１について」の検討で説示したように、刊行物Ｂ記載のカバーは、本願発明１の「外殻に取り付けられたキャップ」に相当し、また、刊行物Ｂ記載の発明２の「インクカートリッジ」は、本願発明３の「インク容器」に相当する。
　　そして、刊行物Ｂ記載の発明２におけるインクジェット記録装置のインクヘッド側のフロントケースは、インクカートリッジが装着されるドッキングステーションを構成するものであること、また、ときに装着部が「ベイ」と呼称されることは、技術常識に照らしては明らかである。
　　よって、本願発明３と刊行物Ｂ記載の発明２とを対比すると、両者の一致点及び相違点は、次の通りである。
　
〈一致点〉
　　インクジェットプリンタ内にインク容器を位置決めするシステムにおいて、
　　夫々、外殻と、収容されるインクの特定の色等、インクの種類を識別する形状を有するキャップとを設けたインク容器と、
　　前記インクジェットプリンタに接続され、インク容器を装着可能な装着部を有するドッキングステーションであって、その装着部は前記装着部にインク容器が挿入装着されるとともにインクの特定の色等、インクの種類が対応づけられ、前記対応づけられたインクを収容した前記インク容器の前記キャップの前記特定の色等、インクの種類を識別する形状と係合するように構成されているドッキングステーションを設け、
　　前記装着部は前記インク容器の識別形状に係合するキー係合要素を備えることによって、前記特定の色を有し前記特定の種類のインクを収容した前記インク容器のみが対応する前記ドッキングステーションに係合するようにしたシステム。　
　
〈相違点４〉
　　本願発明３においては、「前記外殻に取り付けられその一端に収容されているインクの特定の物理的あるいは化学的性質を示す第１の構造を有するとともに他端に前記容器に前記特定の色を示す第２の構造を有するキャップ」を設けると特定されているのに対して、
　　刊行物Ｂ記載の発明２においては、収容されるインクの特定の色等、インクの種類を識別する形状が、特定の色を示すものと、それ以外を示すものとに分けられていないことから、前記特定を有するものとはいえない点。
　
〈相違点５〉
　　本願発明３においては、インク容器の装着部に関して、複数のベイを画成する壁部材を有するものであることが特定されているのに対して、
　　刊行物Ｂ記載の発明２においては、前記特定を有していない点。
　
〈相違点６〉
　　本願発明３においては、「前記外殻の両側面にそれぞれ、前記特定の物理的あるいは化学的性質によらずに一定の形状を有する第１及び第２のリブを設け、
　　前記キャップに設けられた前記第１及び第２の構造は、夫々前記第１及び第２のリブに整列するように前記キャップの側端に配置され、
　　前記ベイは前記インク容器の前記第１及び第２のリブ並びに前記第１及び第２の構造に係合するキー係合要素を備えることによって、前記特定の色及び前記特定の物理的あるいは化学的性質を有するインクを収容した前記インク容器のみが対応する前記ドッキングステーションに係合するようにした」と特定されているのに対して、
　　刊行物Ｂ記載の発明２においては、相違点５に係る複数のベイを画成する壁部材を有するものでなく、相当する第１及び第２のリブを有するものでもなく、前記特定を有するものとはいえない点。
　
３−３−２　相違点に係る判断
〈相違点４について〉
　　ここで、相違点４は、前記本願発明１に係る相違点１と実質的に同じ相違である。
　　したがって、相違点１において検討したように、当該相違点４は、当業者であれば、刊行物Ｂに記載された構成を採用するに際して、容易に改変可能なものであって、前記相違点４に係る本願発明３のようになしたことが格別なものとはいえない。
　　そして、そのようになしたことによる作用効果も当業者であれば容易に想到可能なものである。
　
〈相違点５について〉
　　前記「２−３　刊行物Ｄ：特開平３−１８４８７３号公報」で検討したように、刊行物Ｄにおける第５図には、複数のインクカートリッジを装着するために複数の装着箇所を確定する壁部材を有する装着部とすることが記載されており、当該装着部をベイと呼称することが一般的であることからして、相違点５は実質的な相違があるものとはいえない。
　
〈相違点６について〉
　　ここで、相違点６は、前記本願発明１に係る相違点２と実質的に同じ相違に加えて、「前記ベイは前記インク容器の前記第１及び第２のリブ並びに前記第１及び第２の構造に係合するキー係合要素を備えることによって、前記特定の色及び前記特定の物理的あるいは化学的性質を有するインクを収容した前記インク容器のみが対応する前記ドッキングステーションに係合するようにした」と特定したことに係るものである。
　　本願発明１に係る相違点２が当業者にとり容易に想到し得ることであって格別なものでないことは、前記で既に検討したとおりである。
　　また、前記「前記ベイは前記インク容器の前記第１及び第２のリブ並びに前記第１及び第２の構造に係合するキー係合要素を備えることによって、前記特定の色及び前記特定の物理的あるいは化学的性質を有するインクを収容した前記インク容器のみが対応する前記ドッキングステーションに係合するようにした」なる特定に関しては、「第１及び第２の構造」がキー係合要素を備えるものとすることが追加特定されているものの、既に、これら「第１の構造」及び「第２の構造」を備えることにより期待されている機能を改めて記載したに過ぎないものである。
　　してみると、刊行物Ｂ記載の発明２において、刊行物Ｃに記載された構成を採用することで、前記相違点６に係る本願発明３のようになしたことが格別なものとはいえない。
　　そして、そのようになしたことによる作用効果も当業者であれば容易に想到可能なものである。
　
３−３−３　まとめ
　　前記のとおりであって、相違点４〜６が格別なものとはいえないし、これらを組み合わせられたとしても、相乗的な作用効果が期待し得るものとはいえない。
　　したがって、本願発明３は、刊行物Ｂ記載の発明２及び刊行物Ｃに記載された事項に基づいて、当業者が容易に発明をすることができたものであるので、特許法第２９条第２項の規定により特許を受けることができないものである。
　
３−４　本願発明４について
３−４−１　対比
　　本願発明４は、本願発明３を引用するものであって、これに更に特定が加えられたものである。
　　そこで、本願発明４と刊行物Ｂ記載の発明２とを対比すると、本願発明３との対比と同様の前記一致点及び相違点４〜６に加えて、以下の相違点を有する。
　
〈相違点７〉
　　本願発明４においては、「前記容器は戻り止め部材を有し、前記ベイは突起部を有し、前記突起部材が前記戻り止め部材に係合して前記ベイからの前記容器が外れようとすることに抵抗する」と特定されているのに対して、
　　刊行物Ｂ記載の発明２においては、前記特定を有しているものではない点。
　
３−４−２　相違点に係る判断
　　刊行物Ｄには、前記で検討したように、複数のインク容器（インクカートリッジ）装着部を有するドッキングステーションを前提として、この装着部であるベイにインク容器を装着した際に、インク容器が外れることを防止する構成が記載されている。
　　してみれば、当該刊行物Ｄに記載された装着されたインク容器が外れることを防止する構成を、刊行物Ｂ記載の発明２に適用して、相違点７に係る本願発明４の前記特定を備えた構成となすことは、当業者であれば容易に想到可能なことである。
　　そして、そのようになしたことによる作用効果も当業者であれば容易に想到可能なものでしかない。
　
３−４−３　まとめ
　　本願発明４に係る相違点４〜６については、前記「３−３　本願発明３について」で検討したように、当業者が容易に想到し得た程度のことである。
　
　　請求人は、刊行物Ｄに関して、「御引例Ｄにおいては、ストッパ３１がインクカートリッジ２１のストッパ部２４に係合し、それにより、カートリッジが一旦係合すると不意に外れることがなくなるようにしています。この構造は、上述した本発明の目的・構成・作用効果を示唆するものではありません。」（平成１５年８月２５日付け意見書）と主張する。
　　しかしながら、元来、刊行物Ｄは、装着したカートリッジが不用意に外れることがなくなるようにした構成が存在することを指摘すべく提示しているものであって、当該刊行物Ｄ記載のものが、本願発明４の奏する作用効果を備えているとするものではなく、請求人の主張は採用できない。
　
　　したがって、本願発明４は、本願発明３と同様に、刊行物Ｂ記載の発明２及び刊行物Ｃ、Ｄに記載された事項に基づいて、当業者が容易に発明をすることができたものであるので、特許法第２９条第２項の規定により特許を受けることができないものである。
　
３−５　本願発明５について
３−５−１　対比
　　本願発明５は、本願発明４を引用するものであって、これに更に特定が加えられたものである。
　　そこで、本願発明５と刊行物Ｂ記載の発明２とを対比すると、本願発明４との対比と同様の前記一致点及び相違点４〜７に加えて、以下の相違点を有する。
　
〈相違点８〉
　　本願発明５においては、「それぞれの容器の前記戻り止め部材とそれぞれのベイの前記突起部材の位置と構成は、前記キャップ上の前記第１及び第２の構造及び前記ベイの前記キー係合要素の位置及び構成にかかわりなく各容器の前記ベイの間でほぼ同じである」と特定されているのに対して、
　　刊行物Ｂ記載の発明２においては、前記特定を有しているものではない点。
　
３−５−２　相違点に係る判断
　　当該相違点８に係る本願発明５の構成は、その記載に照らせば、本願明細書で説明される、特定の色と種類のインクを収容するインク容器の誤装着を防止するためにキャップ上に設けられた第１及び第２の構造及びベイ側に設けられたのキー係合要素の位置及び構成とは無関係に、複数のベイのほぼ同じ位置にあって、その構成もほぼ同じであることを特定するものと解される。
　　しかしながら、前記刊行物Ｄには、前記で検討したように、複数のインク容器（インクカートリッジ）装着部を有するドッキングステーションを前提として、この装着部であるベイにインク容器を装着した際に、インク容器が外れることを防止する構成が記載されている。
　　そして、当該刊行物Ｄにおける第２図を参照するに、装着されるインクカートリッジは、ほぼ同様の構成をなしていることが窺える。
　　他方、部品を作成するに際して、寸法・形状等の構成を同一化することは、コスト低減を行う上で、どの技術分野においても、設計段階で十分に検討されている事項である。
　　してみるに、相違点８に係る本願発明５の構成となすことは、当業者の技術常識に照らして、容易に想到し得たことであって、それに基づく作用効果も当業者であれば容易に推察可能なことといわざるを得ない。
　
３−５−３　まとめ
　　本願発明５に係る相違点４〜６については、前記「３−４　本願発明４について」で検討したように、当業者が容易に想到し得た程度のことである。
　　したがって、本願発明５は、本願発明４と同様に、刊行物Ｂ記載の発明２及び刊行物Ｃ、Ｄに記載された事項に基づいて、当業者が容易に発明をすることができたものであるので、特許法第２９条第２項の規定により特許を受けることができないものである。
　
４．むすび
　　以上のとおりであるから、本願発明１ないし５は、それぞれ刊行物Ｂ記載の発明と刊行物Ｃ、Ｄに記載された事項或いは周知例１、２に記載された技術的事項に基づいて、当業者が容易に発明をすることができたものであるので、特許法第２９条第２項の規定により特許を受けることができない。
　　よって、結論の通り審決する。